(57)【要約】【課題】複数の電動送風機のうちいずれかの電動送風機を駆動させる場合に吸込仕事率を損失することのない電気掃除機を提案する。【解決手段】アタッチメント２８は、両端に開口を有する筒状の連結管部３１と、一方の開口の外周縁部を、それぞれ略半周ずつ分担して囲む一対のブラシ３５と、連結管部３１の一方の端部に傾動自在に枢支され、ブラシ３５の一方である第一ブラシ３６が植設された第一枠体３３と、を備える。【選択図】  図４
2011004996.tif 000002
【特許請求の範囲】
【請求項１】
両端に開口を有する筒状の連結管部と、
一方の前記開口の外周縁部を、それぞれ略半周ずつ分担して囲む一対のブラシと、
前記連結管部の一方の端部に傾動自在に枢支され、前記ブラシの一方が植設された枠体と、を備えたことを特徴とする電気掃除機用アタッチメント。
【請求項２】
前記枠体に植設された前記ブラシの一方は、前記ブラシの他方よりも剛性が低いことを特徴とする請求項１に記載の電気掃除機用アタッチメント。
【請求項３】
前記連結管部の一方の端部に配置されるとともに、前記連結管部または前記枠体に傾動自在に枢支され、前記ブラシの他方が植設された第二枠体を備えたことを特徴とする請求項１または２に記載の電気掃除機用アタッチメント。
【請求項４】
前記枠体および前記第二枠体の傾動軸は略同軸芯に配置されたことを特徴とする請求項３に記載の電気掃除機用アタッチメント。
【請求項５】
吸込口を有する本体部と、
前記本体部に設けられた接続管部と、
前記接続管部に嵌脱自在に嵌め込まれた請求項１から４のいずれか１項に記載の電気掃除機用アタッチメントと、を備えたことを特徴とする吸込口体。
【請求項６】
掃除機本体と、
前記掃除機本体に連通された集塵ホースと、
前記集塵ホースに連通された延長管と、
前記延長管の端部に嵌脱自在に嵌め込まれた請求項１から４のいずれか１項に記載の電気掃除機用アタッチメントと、を備えたことを特徴とする電気掃除機。
【発明の詳細な説明】
【技術分野】
【０００１】
本発明は、開口の外周縁部にブラシを備えた電気掃除機用アタッチメント、この電気掃除機用アタッチメントを備えた吸込口体および電気掃除機に関する。
【背景技術】
【０００２】
従来の電気掃除機用アタッチメントは、吸込口を有する接続管と、接続管に傾動自在に枢支された環状の枠体と、吸込口の外周縁部を囲むように枠体に植設されたブラシと、を備える。また、枠体およびブラシは、吸込口の外周縁部をコ字状に囲むものもある。これらの枠体およびブラシは、被掃除面に押し当てられることで能動的に傾動され、ブラシの毛先の全てが略一様に被掃除面を掃くように姿勢が調整される（例えば、特許文献１参照。）。
【先行技術文献】
【特許文献】
【０００３】
【特許文献１】特開２００５−３２９００９号公報
【発明の概要】
【発明が解決しようとする課題】
【０００４】
従来の電気掃除機用アタッチメントは、吸込口の周囲がブラシで囲まれている。このような電気掃除機用アタッチメントで平坦な被掃除面を掃くと、ブラシが掻き上げた塵埃が吸込口に円滑に吸い込まれない場合があった。例えば、従来の電気掃除機用アタッチメントは、平坦な被掃除面にブラシを押し当てると、枠体およびブラシが適宜に傾動し、ブラシの毛先の全てが略一様に被掃除面に当接される。この状態で従来の電気掃除機用アタッチメントを移動させると、ブラシに掃かれた塵埃が吸込口側に円滑に移動せず、吸込口から遠ざかる方向へ掃き出されてしまうことがあった。
【０００５】
一方、吸込口の周囲の一部がブラシで囲まれた従来の電気掃除機用アタッチメント、例えば吸込口の周囲がブラシでコ字状に囲まれた従来の電気掃除機用アタッチメントは、ブラシが掻き上げた塵埃を吸込口の前方（吸込口に吸い込まれる空気流の反対方向）に掃き集めるには好都合であるが、吸込口周囲の流路断面積が大きく、吸い込まれる空気の流速が下がってしまうため、掃き集めた塵埃を吸い込む力が劣ってしまう。
【０００６】
すなわち、ブラシの毛先の全てが略一様に被掃除面を掃くような能動的な姿勢調整が行われる枠体およびブラシを備えた従来の電気掃除機用アタッチメントは、被掃除面における塵埃の掃き集め易さと、掃き集めた塵埃を吸い込む力とを両立させることが困難であった。
【０００７】
本発明は、被掃除面における塵埃の掃き集め易さと、掃き集めた塵埃を吸い込む力とを両立可能な電気掃除機用アタッチメント、吸込口体および電気掃除機を提案する。
【課題を解決するための手段】
【０００８】
前記の課題を解決するため本発明に係る電気掃除機用アタッチメントは、両端に開口を有する筒状の連結管部と、一方の前記開口の外周縁部を、それぞれ略半周ずつ分担して囲む一対のブラシと、前記連結管部の一方の端部に傾動自在に枢支され、前記ブラシの一方が植設された枠体と、を備えたことを特徴とする。
【０００９】
また、本発明に係る吸込口体は、吸込口を有する本体部と、前記本体部に設けられた接続管部と、前記接続管部に嵌脱自在に嵌め込まれた前記電気掃除機用アタッチメントと、を備えたことを特徴とする。
【００１０】
さらに、本発明に係る電気掃除機は、掃除機本体と、前記掃除機本体に連通された集塵ホースと、前記集塵ホースに連通された延長管と、前記延長管の端部に嵌脱自在に嵌め込まれた前記電気掃除機用アタッチメントと、を備えたことを特徴とする。
【発明の効果】
【００１１】
本発明によれば、被掃除面における塵埃の掃き集め易さと、掃き集めた塵埃を吸い込む力とを両立可能な電気掃除機用アタッチメント、吸込口体および電気掃除機を提案できる。
【図面の簡単な説明】
【００１２】
【図１】本発明の実施形態に係る電気掃除機の外観を示した図。
【図２】本発明の実施形態に係る電気掃除機の要部を示した斜視図。
【図３】本発明の実施形態に係るアタッチメントおよび吸込口体を示した斜視図。
【図４】本発明の実施形態に係るアタッチメントを示した長手軸方向の断面図。
【図５】本発明の実施形態に係るアタッチメントの吸込口体側の端部を示した部分的な断面図。
【図６】本発明の実施形態に係るアタッチメントの第一枠体および第二枠体を示した斜視図。
【図７】本発明の実施形態に係るアタッチメントを示した斜視図。
【図８】本発明の実施形態に係るアタッチメントを示した長手軸方向の断面図。
【発明を実施するための形態】
【００１３】
本発明に係る電気掃除機用アタッチメント、吸込口体および電気掃除機の実施形態について図１から図８を参照して説明する。
【００１４】
図１は、本発明の実施形態に係る電気掃除機の外観を示した図である。
【００１５】
図１に示すように、本実施形態に係る電気掃除機１は、掃除機本体２と、集塵ホース３と、手元操作管４と、把持部５と、操作部６と、延長管７と、吸込口体８と、を備える。
【００１６】
掃除機本体２は、接続口２ａおよび排気口（図示省略）を有するケース体１１と、ケース体１１に収容された電動送風機１２と、電動送風機１２の駆動によって負圧が作用する集塵室１３に着脱自在に装着された塵埃分離集塵部１４と、電動送風機１２の駆動を制御する制御部１５と、電動送風機１２に電力を供給する電源コード１６と、を備える。ケース体１１は、下ケース１９と、下ケース１９を覆う上ケース２０と、上ケース２０に回動自在に設けられた蓋ケース２１と、を備える。塵埃分離集塵部１４は、集塵袋（いわゆる紙パック）方式や、遠心分離方式などの集塵方式で構成される。制御部１５は、予め設定された複数の運転モードを有し、操作部６から入力される操作信号に基づいて任意の運転モードを択一的に選択可能に構成される。それぞれの運転モードは、電動送風機１２に供給される電力を互いに異ならせて設定される。制御部１５は、選択された運転モードに対応する電力を電動送風機１２に供給し、電動送風機１２の運転出力を制御する。電源コード１６の自由端部には、電源プラグ２３が形成される。
【００１７】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１８】
手元操作管４の一端は、集塵ホース３の他端に設けられる。手元操作管４は、集塵ホース３を介して掃除機本体２の内部に連通される。
【００１９】
把持部５は、電気掃除機１のユーザが把持して電気掃除機１を操作するものである。把持部５は、手元操作管４の他端部に突設され、集塵ホース３が設けられた手元操作管４の一端部に向けて湾曲させて形成される。
【００２０】
操作部６は、把持部５に設けられる。電気掃除機１のユーザは、操作部６を操作して電動送風機１２の運転モードを選択できる。操作部６は、電動送風機１２の運転を停止させる停止スイッチ２５と、電動送風機１２の運転を開始させる起動スイッチ２６と、を有する。操作部６は、停止スイッチ２５または起動スイッチ２６の操作を検出すると、操作信号を制御部１５に出力する。
【００２１】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。延長管７は、その他端に着脱自在に接続されたアタッチメント２８（電気掃除機用アタッチメント）を備える。
【００２２】
吸込口体８は、延長管７の他端、さらに詳しくはアタッチメント２８に着脱自在に接続される。吸込口体８は、延長管７、手元操作管４、および集塵ホース３を介して掃除機本体２の内部に連通される。吸込口体８は、吸込口（図示省略）を有する。吸込口体８が床面などの被掃除面に配置されると、吸込口は被掃除面に対向される。
【００２３】
電気掃除機１は、操作部６の起動スイッチ２６が操作されると、電動送風機１２が運転を開始し、塵埃分離集塵部１４に負圧が作用する。この負圧は掃除機本体２の接続口２ａから集塵ホース３と手元操作管４と延長管７とを経て吸込口体８に作用する。そうすると、電気掃除機１は吸込口体８から床などの被掃除面に溜まった塵埃を空気とともに吸い込んで被掃除面を掃除する。吸込口体８に吸い込まれた含塵空気は、掃除機本体２に収容された塵埃分離集塵部１４によって空気と塵埃とに分離される。分離された塵埃は塵埃分離集塵部１４に集塵される。他方、分離された空気は、電動送風機１２を通って排気口から掃除機本体２の外部へ吐出される。
【００２４】
図２は、本発明の実施形態に係る電気掃除機の要部を示した斜視図である。
【００２５】
図２に示すように、電気掃除機１のアタッチメント２８は、延長管７に挿脱自在に挿着された連結管部３１と、連結管部３１の吸込口体８側の端部に設けられたケーシング３２と、連結管部３１の吸込口体８側の端部に傾動自在に枢支された第一枠体３３および第二枠体３４と、第一枠体３３および第二枠体３４に設けられた一対のブラシ３５と、を備える。ブラシ３５は、第一枠体３３に設けられた第一ブラシ３６と、第二枠体３４に設けられた第二ブラシ３７と、を備える。
【００２６】
アタッチメント２８は、延長管７に設けられた係止機構（図示省略）の係止解除ボタン３９を押圧することによって延長管７の端部から取り外し可能に構成される。
【００２７】
吸込口体８は、吸込口（図示省略）を有する吸込口本体４０と、吸込口本体４０に対して回転および傾斜自在な接続管部４１と、を備える。接続管部４１は、アタッチメント２８に挿脱自在に挿着される。また吸込口体８は、接続管部４１に設けられた係止機構（図示省略）の係止解除ボタン４２を押圧することによってアタッチメント２８の端部から取り外し可能に構成される。
【００２８】
延長管７および吸込口体８の係止機構は、一方端部に係止解除ボタン３９、４２が形成されたアーム部（図示省略）と、アーム部の他方端部に形成された係止爪（図示省略）と、アーム部の適宜の位置に形成された揺動軸（図示省略）と、を備え、係止解除ボタン３９、４２の押圧によって係止爪を移動自在に構成されたものである。
【００２９】
すなわち、アタッチメント２８は、延長管７および吸込口体８のいずれにも着脱自在に接続することが可能である。また、アタッチメント２８は、延長管７に代えて手元操作管４の他端に直接接続することも可能である。
【００３０】
電気掃除機１は、延長管７から吸込口体８を取り外し、アタッチメント２８を用いて塵埃を吸い込むことができる。
【００３１】
図３は、本発明の実施形態に係るアタッチメントおよび吸込口体を示した斜視図である。
【００３２】
図３に示すように、電気掃除機１のアタッチメント２８は、吸込口体８を取り外すと、延長管７の自由端を構成する。この状態におけるアタッチメント２８は、第一枠体３３および第一ブラシ３６と、第二枠体３４および第二ブラシ３７と、をそれぞれ独立に傾動させて被掃除面を掃くことができる。
【００３３】
アタッチメント２８のケーシング３２は、接続管部４１に一体的に設けられる。ケーシング３２は、第一枠体３３および第二枠体３４の傾動角度を適宜の範囲に抑える。具体的には、ケーシング３２は、電気掃除機１のユーザが把持部５を把持し、延長管７を適宜の角度で被掃除面に延在させた状態で、第二ブラシ３７の毛先が略一様に被掃除面に当接するよう第二枠体３４の傾動角度を抑制する。他方、ケーシング３２は、延長管７から吸込口体８を着脱する際に、第一枠体３３、第一ブラシ３６、第二枠体３４および第二ブラシ３７が吸込口体８とアタッチメント２８との挿脱の妨げとならないよう、第一ブラシ３６および第二ブラシ３７の毛足が延長管７の長手軸方向に沿うように第一枠体３３の傾動角度を抑制する。
【００３４】
なお、第二枠体３４は、電気掃除機１のユーザが把持部５を把持し、延長管７を適宜の角度で被掃除面に延在させた状態で、第二ブラシ３７の毛先が略一様に被掃除面に当接するような傾動角度に固定させても良い。
【００３５】
図４は、本発明の実施形態に係るアタッチメントを示した長手軸方向の断面図である。
【００３６】
図４に示すように、電気掃除機１のアタッチメント２８は、両端に開口４４、４５を有する筒状の連結管部３１と、一方の開口４４の外周縁部をそれぞれ略半周ずつ分担して囲む一対のブラシ３５と、ブラシ３５の一方である第一ブラシ３６が植設された第一枠体３３（枠体）と、ブラシ３５の他方である第二ブラシ３７が植設された第二枠体３４と、を備える。
【００３７】
連結管部３１は、開口４５を有するとともに延長管７に挿脱自在な外径を有する延長管７側の端部３１ａと、開口４４を有するとともに吸込口体８の接続管部４１を挿脱自在な内径を有する吸込口体８側の端部３１ｂと、を備える。開口４４は、アタッチメント２８の吸込口である。
【００３８】
連結管部３１の端部３１ａは、アタッチメント２８を延長管７の係止機構に着脱自在に係止させる係止凹部４７を有する。他方、連結管部３１の端部３１ｂは、少なくとも第一枠体３３が枢支された一対の軸孔４８を有する。一対の軸孔４８は、連結管部３１の管壁に向かい合わせて開口され、略同一の中心を有する。
【００３９】
また、連結管部３１の端部３１ｂに一体的に設けられたケーシング３２は、その内部に延長管７と吸込口体８とを電気的に接続させるコネクタ（図示省略）および給電線（図示省略）と、アタッチメント２８を吸込口体８の係止機構に着脱自在に係止させる係止凹部４９と、を備える。
【００４０】
一対のブラシ３５は、略直線状に延在された毛を複数束ねた毛束３５ａを第一枠体３３および第二枠体３４に複数並設させて構成される。また、一対のブラシ３５は、第一枠体３３および第二枠体３４を適宜に傾動させ、毛束３５ａの伸びる方向を略平行に揃えた状態で、その毛先が略同一面（図４中、二点鎖線）に揃えられる。
【００４１】
そして、第一枠体３３に植設された第一ブラシ３６は、第二枠体３４に植設された第二ブラシ３７よりも低い剛性を有するよう構成される。例えば、第一ブラシ３６および第二ブラシ３７は、同じ材質と略同じ線径とを有するとともに、第二ブラシ３７よりも第一ブラシ３６のほうが長い毛足を有するよう形成される。
【００４２】
第一枠体３３は、連結管部３１の軸孔４８に枢支された軸部５１ａを備える。
【００４３】
第二枠体３４は、その内側に曲面５２ａを有するガイド凹部５２が形成される。ガイド凹部５２は、第二枠体３４を傾動させケーシング３２に当接させたとき、曲面５２ａが連結管部３１の開口４４の縁部３１ｃに略連続的に繋がるよう形成される。
【００４４】
図５は、本発明の実施形態に係るアタッチメントの吸込口体側の端部を示した部分的な断面図である。
【００４５】
図６は、本発明の実施形態に係るアタッチメントの第一枠体および第二枠体を示した斜視図である。
【００４６】
図５および図６に示すように、アタッチメント２８の第一枠体３３および第二枠体３４は、それぞれ略コ字状に形成され、それぞれの開放端を付き合わせると全体で環状となる枠本体３３ａ、３４ａを備える。また、第一枠体３３および第二枠体３４は、それぞれの枠本体３３ａ、３４ａの開放端部に、連結管部３１に対して互いを独立させて傾動自在に軸支させるとともに、互いを相対的に傾動自在に枢支する一対のヒンジ機構５１を備える。
【００４７】
一対のヒンジ機構５１は、同一線上に位置された傾動軸芯を有する。具体的には、ヒンジ機構５１は、例えば、第一枠体３３に設けられた軸部５１ａおよび軸部５１ｂと、第二枠体３４に設けられるとともに、軸孔５１ｃを有するアーム部５１ｄと、を備える。軸部５１ａは、連結管部３１の軸孔４８に第一枠体３３を枢支させる。軸部５１ｂは、軸部５１ａと略同一軸芯に配置される。アーム部５１ｄは、軸孔５１ｃに枢支された軸部５１ｂによって、第一枠体３３に第二枠体３４を枢支させる。
【００４８】
なお、連結管部３１の軸孔４８、第一枠体３３の軸部５１ａおよび軸部５１ｂ、第二枠体３４の軸孔５１ｃは、連結管部３１に対して第一枠体３３および第二枠体３４を互いに独立させて傾動自在に軸支させることが可能な範囲であれば、軸と孔との組み合わせを適宜に変更しても良い。また、第一枠体３３および第二枠体３４の双方を連結管部３１に直接軸支させても良い。
【００４９】
第二枠体３４の枠本体３４ａは、第一枠体３３の枠本体３３ａよりも厚く形成される。これにより、第二ブラシ３７の根本がかさ上げされ、第二ブラシ３７よりも第一ブラシ３６のほうが長い毛足を有する。
【００５０】
第一ブラシ３６および第二ブラシ３７は、それぞれコ字状に形成された枠本体３３ａ、３４ａと、枠本体３３ａ、３４ａの開放端に設けられたヒンジ機構５１とによって、第一枠体３３および第二枠体３４の傾動軸芯から遠ざかるほど、傾動軸芯に平行な線上に並ぶ毛束３５ａが増え、ブラシ全体としての腰（弾力）が強くなる。換言すれば、第一ブラシ３６および第二ブラシ３７は、第一枠体３３および第二枠体３４の傾動軸芯から遠ざかるほど部分的な剛性が増す。
【００５１】
次に、本実施形態に係る電気掃除機１の掃除動作を説明する。
【００５２】
電気掃除機１のユーザは、先ず、掃除機本体２に集塵ホース３、延長管７、吸込口体８を適宜の順序で接続する。
【００５３】
次に、掃除機本体２から電源コード１６を引き出し、商用電源を供給するコンセント（図示省略）に電源プラグ２３を接続する。
【００５４】
次に、電気掃除機１のユーザは、把持部５を把持して起動スイッチ２６を操作する。そうすると、起動スイッチ２６で設定された動作モードに応じて電動送風機１２が作動する。
【００５５】
次いで、電気掃除機１のユーザは、把持部５を把持したまま手元操作管４および延長管７を前後に往復する。そうすると、吸込口体８は、被掃除面上を前後に往復走行する。このとき、電気掃除機１は、空気とともに被掃除面の塵埃を吸込口体８の吸込口に吸い込む。
【００５６】
吸込口体８に吸い込まれた含塵空気は、延長管７、手元操作管４および集塵ホース３と順次に通過した後、掃除機本体２の内部に吸い込まれる。
【００５７】
含塵空気に含まれた塵埃は、掃除機本体２に収容された塵埃分離集塵部１４で捕集される。
【００５８】
塵埃が分離された空気は、さらに電動送風機１２を通過し、掃除機本体２の排気口から排気される。
【００５９】
そして、吸込口体８を用いた掃除が困難な被掃除面、例えば、吸込口体８を侵入させることが困難な家具と家具との間の狭隘な隙間を掃除する場合、電気掃除機１のユーザは、延長管７から吸込口体８を取り外す。そうすると、アタッチメント２８は、使用可能な状態となる（図３）。
【００６０】
次に、電気掃除機１のユーザは、アタッチメント２８の第一ブラシ３６および第二ブラシ３７の毛先を被掃除面に当接し、アタッチメント２８を隙間に侵入させる。
【００６１】
図７は、本発明の実施形態に係るアタッチメントを示した斜視図である。
【００６２】
図８は、本発明の実施形態に係るアタッチメントを示した長手軸方向の断面図である。
【００６３】
図７および図８に示すように、電気掃除機１のアタッチメント２８は、電気掃除機１のユーザから把持部５、手元操作管４および延長管７を介して被掃除面Ｆに操作力ｆで押圧される。
【００６４】
そうすると、当初は被掃除面に一様に押圧されていた第一ブラシ３６および第二ブラシ３７は、徐々に湾曲する。このとき、第二ブラシ３７は、第一ブラシ３６よりも毛足が短く剛性が高いため、操作力ｆをより積極的に分担する。また、第一ブラシ３６は、ケーシング３２による傾動角度の規制を受けておらず、分担する操作力ｆの反力で被掃除面Ｆから遠ざかる方向へと傾動される。さらに、第二ブラシ３７は、第一枠体３３および第二枠体３４の傾動軸芯から遠ざかるほど部分的な剛性が高いので、傾動軸芯から遠ざかる部分ほど操作力ｆをより積極的に分担し、傾動軸芯に近い部分では操作力ｆによって大きく湾曲される。なお、図８中、第一ブラシ３６および第二ブラシ３７の毛束３５ａが湾曲される部分を一点鎖線で示す。
【００６５】
このようにして、第一ブラシ３６および第二ブラシ３７は、第二ブラシ３７によって操作力ｆを主に分担し、第二ブラシ３７の剛性分布による変位量の差によって第一ブラシ３６を被掃除面Ｆから引き起こす。
【００６６】
この状態で、アタッチメント２８を隙間に侵入させると、被掃除面Ｆ上の塵埃は、第一ブラシ３６と被掃除面Ｆとの間に形成された隙間を通って連結管部３１の開口４４の下方に案内される。この塵埃は、開口４４から吸い込まれ、または第二ブラシ３７によって被掃除面Ｆから掃き取られて開口４４から吸い込まれる。このとき、開口４４の周囲は、第一ブラシ３６と被掃除面Ｆとの間に形成された隙間を除いて略全周がブラシ３５によって囲まれているので、開口４４から吸い込まれる空気の流速の低下を十分に抑制できる。
【００６７】
このとき、ガイド凹部５２の曲面５２ａは、連結管部３１の開口４４の縁部３１ｃに略連続的に繋がる。
【００６８】
なお、アタッチメント２８は、電気掃除機１のユーザが把持部５を把持し、延長管７を適宜の角度で被掃除面に延在させた状態で、第二ブラシ３７の毛先が略一様に被掃除面に当接するような傾動角度に第二枠体３４を固定させても、同様な作用、効果を奏することができる。
【００６９】
本実施形態によれば、アタッチメント２８のブラシ３５の毛先を被掃除面Ｆに押し当てることで第一枠体３３および第一ブラシ３６と第二枠体３４および第二ブラシ３７とをそれぞれ独立に傾動させ、第二ブラシ３７を被掃除面Ｆに確実に押し当てつつ、第一ブラシ３６と被掃除面Ｆとの間に適宜の隙間を形成できる。これにより、アタッチメント２８は、吸込口である開口４４をブラシ３５によって極力囲みつつ、かつ、第一ブラシ３６と被掃除面Ｆとの間に形成された隙間によってアタッチメント２８の進行方向に存する被掃除面Ｆ上の塵埃を円滑に案内できるとともに、第二ブラシ３７によって被掃除面Ｆから確実に掃き掃き取ることができる。したがって、アタッチメント２８は、ブラシ３５に掃かれた塵埃が開口４４から遠ざかる方向へ掃き出されてしまうことがない。
【００７０】
また、本実施形態によれば、ブラシ３５を被掃除面に当接させた状態において第一ブラシ３６と被掃除面Ｆとの間に形成される隙間を、被掃除面Ｆ上の塵埃を開口４４に円滑に案内可能な範囲で極力狭く構成することが容易であり、これによって開口４４に吸い込まれる空気の流速を適宜に高めることができる。
【００７１】
したがって、本発明の実施形態によれば、被掃除面Ｆにおける塵埃の掃き集め易さと、掃き集めた塵埃を吸い込む力とを両立できる。
【符号の説明】
【００７２】
１  電気掃除機
２  掃除機本体
２ａ  接続口
３  集塵ホース
４  手元操作管
５  把持部
６  操作部
７  延長管
８  吸込口体
１１  ケース体
１２  電動送風機
１３  集塵室
１４  塵埃分離集塵部
１５  制御部
１６  電源コード
１９  下ケース
２０  上ケース
２１  蓋ケース
２３  電源プラグ
２５  停止スイッチ
２６  起動スイッチ
２８  アタッチメント
３１  連結管部
３１ａ、３１ｂ  端部
３１ｃ  縁部
３２  ケーシング
３３  第一枠体
３３ａ  枠本体
３４  第二枠体
３４ａ  枠本体
３５  ブラシ
３５ａ  毛束
３６  第一ブラシ
３７  第二ブラシ
３９  係止解除ボタン
４０  吸込口本体
４１  接続管部
４２  係止解除ボタン
４４  開口
４５  開口
４７  係止凹部
４８  軸孔
４９  係止凹部
５１  ヒンジ機構
５１ａ  軸部
５１ｂ  軸部
５１ｃ  軸孔
５１ｄ  アーム部
５２  ガイド凹部
５２ａ  曲面
【図１】
2011004996.tif 000003
【図２】
2011004996.tif 000004
【図３】
2011004996.tif 000005
【図４】
2011004996.tif 000006
【図５】
2011004996.tif 000007
【図６】
2011004996.tif 000008
【図７】
2011004996.tif 000009
【図８】
2011004996.tif 000010